(57)【要約】【課題】  屋根凹凸面に対する熱媒体の斜め方向への散布では尾根が遮蔽物になって濡れムラができやすく、また粒子が外気中を飛翔するため大気への放熱ロスが大きい。【解決手段】  折半屋根の尾根上側表面の側縁から傾斜側面にかけて厚みのある保水性を備えたストリップ材（１）を接着し、尾根に平行するストリップ材の側端部（１ａ）を縁取りとして利用することで、尾根の上側表面に尾根に沿った凹所を形作り熱媒体の流れる流水路（２）を形成し、流水路上流側の散水手段から流水路内に放出された熱媒体を流水路に沿って移動させながらその一部をストリップ材表面に越流させ、ストリップ材に含浸させて保水し、この保水箇所から傾斜側面に沿い熱媒体を緩慢に流下させて折半屋根の谷部（３）に集め、谷部に沿って流し排水することにより折半屋根表面と熱媒体の熱交換を行なう。【選択図】図２
2008121398.tif 000002
【特許請求の範囲】
【請求項１】
折半屋根の尾根上側表面の側縁から傾斜側面にかけて厚みのある保水性を備えたストリップ材を接着し、尾根に平行するストリップ材の側端部を縁取りとして利用することで、尾根の上側表面に尾根に沿った凹所を形作り熱媒体の流れる流水路を形成し、流水路上流側の散水手段から流水路内に放出された熱媒体を流水路に沿って移動させながらその一部をストリップ材表面に越流させ、ストリップ材に含浸させて保水し、この保水箇所から傾斜側面に沿い熱媒体を緩慢に流下させて折半屋根の谷部に集め、谷部に沿って流し排水することにより折半屋根表面と熱媒体の熱交換を行なう折半屋根の散水熱交換方法。
【請求項２】
請求項１に記載された折半屋根の散水熱交換方法において、前記ストリップ材は折半屋根の谷部にかけて延長され、この延長部分の厚みを薄く形成してある折半屋根の散水熱交換方法。
【請求項３】
請求項１に記載された折半屋根の散水熱交換方法において、前記ストリップ材は尾根上部の側端部に段差が形成されている折半屋根の散水熱交換方法。
【発明の詳細な説明】
【技術分野】
【０００１】  本発明は、折半形式をした屋根の散水熱交換方法、より具体的には折半屋根の散水融雪方法および／または散水冷却方法に係る。豪雪地では、冬期に融雪目的のために利用し夏期には屋根冷却に用いることができる。
本明細書中では、説明の便宜上、融雪を事例とした説明がされている。
【背景技術】
【０００２】  凹凸折半屋根は屋根構造が単純で耐圧性に優れているため、規模の大きな建物に多く見られる屋根形式である。積雪量が２．５ｍ程度までの耐雪屋根構造体として豪雪地域では汎用されている。
こうした大型の折半屋根の融雪には地下水の散水方式が一般的であり、散水にはスプリンクラや噴射ノズル等の散布器を使用する事例が多く見られる。スプレイ散水は広範囲に拡散させることができるので、散布器を点在させておけば大規模な屋根面であっても想定される平均的積雪量の範囲内であればこれに対処することができる。【０００３】  しかし、長時間わたり多量の雪が降り続くと融雪が追いつかず、屋根凹凸面に対する熱媒体の斜め方向への散布では尾根が遮蔽物になって濡れムラができやすく、また粒子が外気中を飛翔するため大気への放熱ロスが大きい。
また風雪が強くてスプレイ水が飛ばされてしまうときには散水の効果が失われる。このような状況下では雪溜りが拡大し残雪がつながって屋根表面を広範囲に雪が被り、下側にトンネルが形成され、やがては屋根全面が雪で覆われ積雪が拡大していく。降雪量は軽微な年と甚だしい年の差が大きく、また記録的な大豪雪に見舞われる可能性もあって予測困難なのが実態である。【０００４】  設備能力に余力を持たせるために、散布器の設置間隔を狭めたり散水量を多くするなど熱の投入量を増やす方法にも限界がある。豪雪地帯での散水量として１平米あたり毎分０．５リットル程度なら多いとは言えないが、この水量でも５千平米の屋根では毎分２トン以上が消費される。１物件あたりの消費量としては１時間あたり１２０トン以上、日量では約３０００トンにもなり、これが数日も続けばその水量は尋常ではなく、大型屋根での地下水利用は恒常的な設備にはなりにくい。【０００５】  豪雪地に大型工場を誘致する場合、この課題は大きな障害である。新たに井戸を掘削するには規制があって許可がされないこともある。ボイラー加熱方式を採用するには有資格者の管理する大型ボイラーの導入と高額の燃費を覚悟しなければならない。【０００６】  この解決策として、屋根上に平板を設置し平坦面を形成して融雪する方法につき評価してきた。この方法は、平坦面であるから融雪性能には優れていはいるものの、事実上、屋根の葺きなおしに相当し工事費の嵩む難点がある。
【特許文献１】  特開２００４−１４９７８２
【発明の開示】
【発明が解決しようとする課題】
【０００７】  解決しようとする問題点は、折半屋根の頂上部を跨がって敷設する平板はそれ自体が耐雪強度を備えた軽量な部材要素であって、しかも風圧対策を考慮に入れて屋根の支保構造に安定的に固定しておかなければならないので設置費用が高額になり、大型の折半屋根に採用するには費用対効果の観点から採用が難しい。
【課題を解決するための手段】
【０００８】  本発明は、熱媒体を屋根面に広く均一に分布させるために、多く雪を被る尾根の上側表面に投入初期の熱媒体を滞留させながら、尾根頂上部の融雪と周辺への散水を同時に行ない屋根全面を融雪することを主要な特徴とする。
【発明の効果】
【０００９】  屋根の尾根の表面積は小さいので供給される熱媒体の水量が少なくても尾根の上側表面には熱媒体の流れを確実に形成でき、頂上部に積もった雪を溶かしながら熱媒体を尾根の傾斜側面に流下させることができる。
並列する長細い尾根を用いるため、結果的に１つの広い融雪面を規則性を持たせて配置した少ない散水量に見合う小面積の融雪面に小分けしたことに相当し、これら融雪面から周辺の裾野の傾斜側面に均等に熱媒体を分配するため散水は凹凸全面にわたり分散され、効率よく短時間で融雪を行える。けじめよく散水をきりあげられるから熱媒体を無駄に流さなくてすむ。限られた量の熱媒体を有効に利用できる利点がある。【００１０】  尾根の上部に形成された流水路は熱媒体の流れ方向を拘束するため熱媒体を流水路に連続投入でき、また移動する熱媒体は自然発生する波動や降雪粒子の吸引によりその一部が流水路の縁取りを越流して流水路構成材料のストリップ材に保水されるので、小さな流水路であっても尾根上部に大量の熱媒体を貯水したのと同様の効果が得られる。【００１１】  尾根より落下する熱媒体はストリップ材が流下緩衝材として作用するので熱媒体の流下速度は減速され、傾斜側面に付着した雪との熱交換を効率よく行える。また、熱媒体の保水箇所を尾根に沿って連続的に設置できるので、尾根全面に熱媒体を緩慢に流し落とすことができる。
これら一連の作用効果は屋根の勾配の影響を受けにくい。
【発明を実施するための最良の形態】
【００１２】  熱媒体をムラなく散布するのが困難な凹凸屋根面に熱媒体を広く拡散させて確実に融雪するという目的を、屋根の様式を変更せずそのままの形態で行なう手順の下で実現した。
【実施例１】
【００１３】  図２に示す折半屋根は、尾根上側表面の側縁から傾斜側面にかけて、図１に示すような厚みのある保水性を備えたストリップ材１が接着されている。このストリップ材１は、厚みのある保水性を備えた材料部分１Ａ、例えば織布や不織布、編布から構成されている。図示のストリップ材１は厚みのある保水性を備えた材料部分１Ａに延長して、吸水性のある厚みの薄い材料部分１Ｂが形成されている。材料部分１Ｂも材料部分１Ａと同じ材質から構成することができる。材料部分１Ｂを設けておく場合、この部分は尾根の傾斜側面の少なくとも一部を覆う状態に設置される。図示の例では、材料部分１Ｂは傾斜側面の全面を覆っている。【００１４】  ストリップ材１は側端部１ａを尾根に平行させて配置されている。この側端部１ａは尾根に沿った縁取りとして利用され、尾根上側表面の側縁にあって尾根に沿った凹所を形作り熱媒体の流れる流水路２を形成している。尾根の勾配が緩慢であれば流水路２を流れる熱媒体の移動速度はゆっくりとしているので流水路は貯水槽として機能し、勾配が急であれば流水路２は熱媒体の移動方向を拘束する流下経路を形作ることになる。【００１５】  流水路を移動する熱媒体はそれが持つ表面張力により、またストリップ材１の吸水力により側端部からストリップ材に吸収され保水される。また、熱媒体の移動によって自然に発生する波動により、熱媒体の一部はストリップ材１の側端部を越流してストリップ材に吸水され保水される。また、降雪時にストリップ材に積もる雪粒子は、側端部より熱媒体を吸引して熱媒体に接触して溶け増量して保水される。【００１６】  材料部分１Ａに保水され一時的に滞留した熱媒体は尾根の傾斜側面を伝って流れ落ちていく。流下した熱媒体は折半屋根の谷部３に集まり、勾配にしたがって流れていく。
材料部分１Ａに材料部分１Ｂが延長されている場合、材料部分１Ｂの設置された傾斜側面に積もる雪は材料部分１Ｂに捕捉され滑り落ちにくい。この捕捉状態で熱媒体に接触する雪は定位置で融解していく。
材料部分１Ａに加えて材料部分１Ｂを設置するかどうか、また設置する場合でもその丈の長さをどの程度にするかは、傾斜側面の勾配、表面性状によって決められる選択事項である。【００１７】  図７に示す折半屋根は尾根の中央に縦はぜ巻の連結部が位置する構造のものである。この連結部の存在により、ストリップ材１は尾根の左右それぞれに設置され連結部を挟んで左右に流水路２が形成される。【００１８】  図３のストリップ材１は、図２に示したストリップ材の側端部１ａに延長して厚みの薄い段差１ｂが形成されている。この段差は図４に示すように階段状の縁取りを形成し、熱媒体の導入部として機能する。段差１ｂを設ければ、これがない場合と比較して材料部分１Ａへの熱媒体の移動はスムーズである。【００１９】  図５の参照番号４は折半屋根の固定ボルトを示している。この固定ボルト４を使用するタイプの折半屋根では、前述した流水路２は固定ボルトにより遮られる。そのための対策として、例えば、固定ボルトの周辺では、図６に示すように、ストリップ材の材料部分１Ａの側端部１ａを立ち上げ先端をカットして丈を短くしてなる突起１ｃが形成されている。この突起１ｃを土手として利用すれば、流水路２を移動してきた熱媒体は固定ボルト４とワッシャー５により左右に振り分けられ、固定ボルトを通りすぎて再び集合するようになる。その際、固定ボルトの周辺には大量の熱媒体の溜りが形成されるので固定ボルト周辺部の残雪対策にとり都合がよい。また、この固定ボルト周辺部のスペースは移動する途中の熱媒体にとっては運動の緩衝地帯となる。【００２０】  流水路２は上向きに開放されているので貯水された熱媒体は降る雪に接触し、また流水路内に積もってしまった雪は熱媒体の流入により急速に溶解する。
流水路２の上流側に供給される熱媒体は尾根勾配に沿って移動し流水路２を流れながら流出していくが、ストリップ材は雪の滑止めとして機能するので流下する熱媒体は雪を定位置においてまま溶かしていく。ストリップ材で覆われていない傾斜側面に降る雪は流下する熱媒体が洗い流しながら溶かしていき、流れ落ちた熱媒体と雪シャーベットは谷部に集まり排水される。その意味で、傾斜側面を材料部分１Ｂで覆ってあれば比較的少量の熱媒体を拡散して流下さすことができるので残雪対策面からは効果的である。
流水路内への熱媒体の供給は、例えば、流水路の上流側に配置した散水パイプを用いて連続的にか間欠的に行なうことができる。
【産業上の利用可能性】
【００２１】  緩勾配の積雪面を比較的少量の熱媒体で融雪処理および／または冷却できるため、井戸施設またはボイラー設備を使用して、工場、駅舎、公共施設のような数万平米におよぶ長尺大型折半屋根にも対応することができる。
【図面の簡単な説明】
【００２２】
【図１】  折半屋根に貼り付けるストリップ材の一例を示す斜視図である。
【図２】  ストリップ材を貼り付けた折半屋根の一例を示す斜視図である。
【図３】  折半屋根に貼り付けるストリップ材の他の例を示す斜視図である。
【図４】  ストリップ材を貼り付けた折半屋根の他の例を示す斜視図である。
【図５】  固定ボルトを使用した折半屋根の貼付け例を示す平面図である。
【図６】  図５のＶＩ−ＶＩ線に沿った縦断面図である。
【図７】  縦はぜ形式の折半屋根での使用例を示す斜視図である。
【符合の説明】
【００２３】１  ストリップ材
１Ａ，１Ｂ  材料部分
１ａ  ストリップ材の側端部
１ｂ  ストリップ材の段差
２  流水路
３  谷部
【図１】
2008121398.tif 000003
【図２】
2008121398.tif 000004
【図３】
2008121398.tif 000005
【図４】
2008121398.tif 000006
【図５】
2008121398.tif 000007
【図６】
2008121398.tif 000008
【図７】
2008121398.tif 000009